(57)【要約】【課題】具体的な運転態様を把握するとともに多様な運転態様を数多く収集する。【解決手段】情報取込操作に応じて移動情報を取り込む移動情報取込手段、移動情報の前記映像データを再生する映像再生表示領域を形成するとともに再生操作に応じて映像データの再生状態を制御する映像再生表示手段、移動情報の移動データに基づいて移動体の移動態様の時間変化を図形により表示する移動変化表示領域を形成するとともに映像データの再生時点に対応する移動変化表示領域上の位置を指示する移動変化表示手段、クリップ情報設定操作に応じて映像データの再生時点に対応するクリップ期間を設定するとともにクリップ期間に対応する移動変化表示領域上の位置を指示するクリップ情報設定手段、クリップ情報出力操作に応じて移動情報からクリップ期間内の映像データ及び移動データを取り出してクリップ情報として出力するクリップ情報出力手段、を有する。【選択図】図４
2012115145.tif 000002
【特許請求の範囲】
【請求項１】
コンピュータを用いて、移動体において取得された取得情報に由来する映像データ及び移動データの少なくとも一部を含む移動情報を処理するための装置であって、
情報取込操作に応じて前記移動情報を取り込む移動情報取込手段と、
取り込まれた前記移動情報の前記映像データを再生する映像再生表示領域を形成するとともに再生操作に応じて前記映像データの再生状態を制御する映像再生表示手段と、
取り込まれた前記移動情報の前記移動データに基づいて前記移動体の移動態様の時間変化を図形により表示する移動変化表示領域を形成するとともに前記映像データの再生時点に対応する前記移動変化表示領域上の位置を指示する移動変化表示手段と、
クリップ情報設定操作に応じて前記映像データの再生時点に対応するクリップ期間を設定するとともに前記クリップ期間に対応する前記移動変化表示領域上の位置を指示するクリップ情報設定手段と、
クリップ情報出力操作に応じて前記移動情報から前記クリップ期間内の前記映像データ及び前記移動データを取り出してクリップ情報として出力するクリップ情報出力手段と、
を具備することを特徴とする移動情報処理装置。
【請求項２】
前記クリップ情報出力手段は、前記クリップ情報を、前記取得情報に関する取得情報識別コード、及び、前記クリップ情報に関するクリップ情報識別コードと関連付けて出力することを特徴とする請求項１に記載の移動情報処理装置。
【請求項３】
コンピュータを用いて、移動体において取得された取得情報に由来する映像データ及び移動データの少なくとも一部を含む移動情報を処理するための装置であって、
情報取込操作に応じて前記移動情報を取り込む移動情報取込手段と、
取り込まれた前記移動情報の前記映像データを再生する映像再生表示領域を形成するとともに再生操作に応じて前記映像データの再生状態の制御を行う映像再生表示手段と、
取り込まれた前記移動情報の前記移動データに基づいて前記移動体の移動態様の時間変化を図形により表示する移動変化表示領域を形成するとともに前記映像データの再生時点に対応する前記移動変化表示領域上の位置を指示する移動変化表示手段と、
チェック情報登録操作に応じて前記映像データの再生時点に対応する地点データを含むチェック情報を登録するとともに前記チェック情報に対応する前記移動変化表示領域上の位置を指示するチェック情報登録手段と、
を具備することを特徴とする移動情報処理装置。
【請求項４】
チェック情報出力操作に応じて前記チェック情報を出力するチェック情報出力手段をさらに具備することを特徴とする請求項３に記載の移動情報処理装置。
【請求項５】
チェック情報入力操作に応じて前記チェック情報を入力するチェック情報入力手段をさらに具備することを特徴とする請求項３に記載の移動情報処理装置。
【請求項６】
前記チェック情報入力手段は、前記クリップ情報を検索し、前記クリップ情報が存在するときに前記クリップ期間に対応する地点データを含む前記チェック情報を登録することを特徴とする請求項５に記載の移動情報処理装置。
【請求項７】
クリップ情報設定操作に応じて前記映像データの再生時点に対応するクリップ期間を設定するとともに前記クリップ期間に対応する前記移動変化表示領域上の位置を指示するクリップ情報設定手段と、
クリップ情報出力操作に応じて前記移動情報から前記クリップ期間内の前記映像データ及び前記移動データを取り出してクリップ情報として出力するクリップ情報出力手段と、
をさらに具備することを特徴とする請求項３乃至６のいずれか一項に記載の移動情報処理装置。
【請求項８】
移動体において取得された取得情報に由来する映像データ及び移動データの少なくとも一部を含む移動情報を表示するための装置であって、
情報取込操作に応じて前記移動情報を取り込む移動情報取込手段と、
取り込まれた前記移動情報の前記映像データを再生する映像再生表示領域を形成するとともに再生操作に応じて前記映像データの再生状態を制御する映像再生表示手段と、
取り込まれた前記移動情報の前記移動データに基づいて前記移動体の移動態様の時間変化を図形により表示する移動変化表示領域を形成するとともに前記映像データの再生時点に対応する前記移動変化表示領域上の位置を指示する移動変化表示手段と、
を具備することを特徴とする移動情報表示装置。
【請求項９】
前記移動情報は、前記取得情報から所定のクリップ期間内の前記映像データ及び前記移動データを取り出してなるクリップ情報であることを特徴とする請求項８に記載の移動情報表示装置。
【請求項１０】
前記クリップ情報は、前記取得情報に関する取得情報識別コード、及び、前記クリップ情報に関するクリップ情報識別コードと関連付けられ、
前記移動情報取込手段は、複数の前記クリップ情報を前記取得情報識別コードと前記クリップ情報識別コードの異同に応じて分類して表示可能なクリップ分類表示領域を形成し、該クリップ分類表示領域の複数の表示分類の少なくとも一つを選択する前記情報取込操作に応じて、前記表示分類に属する一又は複数の前記クリップ情報を呼び出すことを特徴とする請求項９に記載の移動情報表示装置。
【請求項１１】
前記移動情報に対して、前記映像データの再生時点に対応する地点データを含むチェック情報が関連付けられ、前記移動変化表示手段は、前記チェック情報に対応する前記移動変化表示領域上の位置を指示することを特徴とする請求項８に記載の移動情報表示装置。
【請求項１２】
移動体において取得された取得情報に由来する映像データ及び移動データの少なくとも一部を含む移動情報を表示する方法であって、
前記移動情報の前記映像データを映像再生表示領域において再生するとともに再生操作に応じて前記映像データの再生状態を制御可能な状態とし、
前記状態で、前記移動情報の前記移動データに基づいて前記移動体の移動態様の時間変化を移動変化表示領域において図形により表示するとともに前記映像データの再生時点に対応する前記移動変化表示領域上の位置を指示する、
ことを特徴とする移動情報表示方法。
【請求項１３】
コンピュータを用いて、移動体において取得された取得情報に由来する映像データ及び前記移動体の移動データの少なくとも一部を含む移動情報を管理するためのシステムであって、
前記移動体に設置され前記取得情報を取得する移動情報取得装置と、
情報取込操作に応じて前記移動情報を取り込み、クリップ情報設定操作に応じて所定のクリップ期間を設定するとともに、クリップ情報出力操作に応じて前記移動情報から前記クリップ期間の前記映像データ及び前記移動データを含むクリップ情報を取り出す移動情報処理装置と、
クリップ情報選択操作に応じて複数の前記クリップ情報から選択された一又は複数の前記クリップ情報を表示可能に構成された移動情報表示装置と、
を具備することを特徴とする移動情報管理システム。
【請求項１４】
前記移動情報処理装置は、複数の前記クリップ情報を含むクリップ情報データベースを構成し、
前記クリップ情報表示装置は、前記クリップ情報データベースに属する前記複数のクリップ情報から前記クリップ情報選択操作に応じて一又は複数の前記クリップ情報を選択可能な態様で表示することを特徴とする請求項１３に記載の移動情報管理システム。
【請求項１５】
前記クリップ情報データベースは、前記クリップ情報を、前記取得情報に関する取得情報識別コード、及び、前記クリップ情報に関するクリップ情報識別コードと関連付けたものであることを特徴とする請求項１４に記載の移動情報管理システム。
【請求項１６】
前記移動情報表示装置は、前記クリップ情報データベースに属する前記複数のクリップ情報を前記取得情報識別コードと前記クリップ情報識別コードの異同に応じて分類して表示するクリップ分類表示領域を形成することを特徴とする請求項１５に記載の移動情報管理システム。
【請求項１７】
前記移動情報表示装置は、前記クリップ情報選択操作に応じて選択された前記クリップ情報の前記映像データを再生する映像再生表示領域を形成するとともに、クリップ情報再生操作に応じて前記映像データの再生状態を制御し、また、選択された前記クリップ情報の前記移動データに基づいて移動態様の時間変化を図形により表示する移動変化表示領域を形成するとともに、前記映像データの再生時点に対応する前記移動変化表示領域上の位置を指示することを特徴とする請求項１３乃至１６のいずれか一項に記載の移動情報管理システム。
【請求項１８】
コンピュータを用いて、移動体において取得された取得情報に由来する映像データ及び移動データの少なくとも一部を含む移動情報を管理するためのシステムであって、
前記移動体に設置され前記取得情報を取得する移動情報取得装置と、
情報取込操作に応じて前記移動情報を取り込み、チェック情報登録操作に応じて前記移動情報の前記映像データの再生時点に対応する地点データを含むチェック情報を登録する移動情報処理装置と、
前記移動情報を前記チェック情報と関連付けて表示可能に構成された移動情報表示装置と、
を具備することを特徴とする移動情報管理システム。
【請求項１９】
前記移動情報表示装置は、前記移動情報の前記映像データを再生する映像再生表示領域を形成するとともに、再生操作に応じて前記映像データの再生状態を制御し、また、前記移動データに基づいて移動態様の時間変化を図形により表示する移動変化表示領域を形成するとともに、前記映像データの再生時点に対応する前記移動変化表示領域上の位置を指示することを特徴とする請求項１８に記載の移動情報管理システム。
【請求項２０】
前記移動情報表示装置は、前記チェック情報に含まれる前記地点データに対応する前記移動変化表示領域上の位置を指示することを特徴とする請求項１９に記載の移動情報管理システム。
【発明の詳細な説明】
【技術分野】
【０００１】
本発明は移動情報処理装置、移動情報表示装置、移動情報表示方法及び移動情報管理システムに係り、特に、車両の運行状況を抽出して運行状況の解析又は判定を行い、適切な運転指導を行うなどの交通安全教育や運送事業などにおける効率的な運行管理に資するために好適なデータ処理技術やデータ管理技術に関する。
【背景技術】
【０００２】
現在、行政、運輸関連事業者、個々のドライバーなどによって交通事故をなくす取り組みが種々の観点から行われているが、このような取り組みの一つとして、ドライバーに対する安全運転教育や安全運転啓蒙活動などが挙げられる。これらの教育や活動に際しては、安全運転診断やシミュレータによる計測及び判定などが行われている。また、運転の態様に応じて安全性や効率性を判定する運転技量判定システムも提案されている（以下の特許文献１参照）。【０００３】
一方、車両にドライブレコーダを設置し、映像や音を記録することによって事故があった際に衝撃などを検知して記録を残すようにすることで、事故後に事故の状況を把握したり事故の原因を解析したりすることが行われている（以下の特許文献２参照）。また、移動体の走行データから所定条件に従って特定挙動の発生の有無を判定し、この特定挙動の発生事実に応じて移動体の特定挙動に関わる情報を記録媒体に記録し、この情報に基づいて移動体の操作傾向を解析する方法も提案されている（以下の特許文献３参照）。
【先行技術文献】
【特許文献】
【０００４】
【特許文献１】特開２００８−２９８９７９号公報
【特許文献２】特開平１０−６３９０５号公報
【特許文献３】特開２０００−１８５６７６号公報
【発明の概要】
【発明が解決しようとする課題】
【０００５】
しかしながら、上記従来の運転技量判定システムでは、走行データから運転操作データを生成し、この運転操作データに基づいて運転技量を判定する際に、データ全体を既定の数値条件などによって一律に判定するようにしているため、運転者の個々の運転態様を直接に把握することができず、安全運転指導を行う際に指導内容の具体化を図ることが難しいという問題点がある。また、運送業などの運行管理に用いる場合には、記録された運転態様が具体性に欠けるものであるために、実態の把握や効率性の判断が充分にできないという問題点もある。【０００６】
一方、上記従来のドライブレコーダによる記録を解析する方法では、映像や録音によって運転実態を具体的に把握することができるものの、衝撃や音などを検出した際に記録を保持するだけであるため、事故の原因を究明して対策を取ることは可能であるが、運転者の日常的な運転操作を記録対象とすることができない。また、多様な運転態様を数多く収集することができないため、安全運転教育に必要な情報量を確保することができないという問題点がある。また、事故時の記録を目的とするため、運送業などの車両の運行管理には使用できないという問題点もある。【０００７】
そこで、本発明は上記問題点を解決するものであり、その課題は、具体的な運転態様を把握するとともに多様な運転態様を数多く収集することのできる移動情報処理装置、移動情報表示装置、移動情報表示方法及び移動情報管理システムを提供することにある。
【課題を解決するための手段】
【０００８】
斯かる実情に鑑み、本発明の移動情報処理装置は、コンピュータを用いて、移動体において取得された取得情報に由来する映像データ及び移動データの少なくとも一部を含む移動情報を処理するための装置であって、情報取込操作に応じて前記移動情報を取り込む移動情報取込手段と、取り込まれた前記移動情報の前記映像データを再生する映像再生表示領域を形成するとともに再生操作に応じて前記映像データの再生状態を制御する映像再生表示手段と、取り込まれた前記移動情報の前記移動データに基づいて前記移動体の移動態様の時間変化を図形により表示する移動変化表示領域を形成するとともに前記映像データの再生時点に対応する前記移動変化表示領域上の位置を指示する移動変化表示手段と、クリップ情報設定操作に応じて前記映像データの再生時点に対応するクリップ期間を設定するとともに前記クリップ期間に対応する前記移動変化表示領域上の位置を指示するクリップ情報設定手段と、クリップ情報出力操作に応じて前記移動情報から前記クリップ期間内の前記映像データ及び前記移動データを取り出してクリップ情報として出力するクリップ情報出力手段と、を具備する。本発明の移動情報処理装置は、コンピュータを上記各手段として機能させるためのプログラムに基づいて動作するコンピュータ・システムとして構成することができる。【０００９】
本発明によれば、情報取込操作があると、移動情報取込手段によって取り込まれた移動情報の映像データが映像再生表示手段により映像再生表示領域に再生される。また、再生操作に応じて映像再生表示領域において映像データの再生状態の制御が行われる。さらに、移動変化表示手段により移動変化表示領域が形成されて移動体の移動態様の時間変化が図形により表示されるとともに、映像データの再生時点に対応する移動変化表示領域上の位置が指示される。したがって、再生操作を行いながら映像再生表示領域に表示される映像を視認し、さらに映像データの再生時点に対応する移動変化表示領域上の指示位置を確認することで、映像データの現在の再生時点が移動変化表示領域上のどの位置（地点若しくは時点）に対応するかを迅速かつ容易に把握することができる。これによって、上記指示位置の近傍における移動体の移動態様の変化を見ることにより、映像データと移動態様若しくはその変化状況との関係を容易に把握することができる。また、上記指示位置を基準としてその時間的前後の移動態様を確認することにより、映像データの再生時点の時間的前後の表示態様を移動態様の変化によって推定することができる。さらに、クリップ情報設定操作があると、クリップ情報設定手段により映像データの再生時点に対応するクリップ期間が設定されるので、容易にクリップ期間を設定することができる。このとき、上記のように映像データの再生時点に対応する移動変化表示領域上の位置が指示されているので、映像データの再生時点の時刻前後の移動態様を参考にしつつクリップ期間を設定することができるため、クリップ期間の設定作業をさらに容易に行うことができる。そして、クリップ情報出力操作があると、クリップ情報出力手段によりクリップ期間内の映像データ及び移動データを取り出してクリップ情報が出力される。このクリップ情報には移動情報のうち限定されたクリップ期間内の映像データ及び移動データが含まれるので、移動情報が長時間にわたって記録されたものであっても、それよりも短時間の一若しくは複数のクリップ情報に基づいて、移動体の移動態様の要点を迅速かつ容易に把握することが可能になる。【００１０】
本発明において、前記クリップ情報出力手段は、前記クリップ情報を、前記取得情報に関する取得情報識別コード、及び、前記クリップ情報に関するクリップ情報識別コードと関連付けて出力することが好ましい。これによれば、取得情報に関する取得情報識別コード（移動体の特定情報、移動日時、移動体の乗務員の特定情報など）と、クリップ情報に関するクリップ情報識別コード（クリップ期間の日時、クリップ期間内の判定項目の種別、クリップ期間内の移動態様の判定結果、クリップ期間内の移動経路の種別など）に、クリップ情報を関連付けることにより、取得情報識別コードとクリップ情報識別コードの双方でクリップ情報を分類することができるため、クリップ情報の検索、選別その他の管理作業を容易に行うことが可能になる。【００１１】
次に、本発明の別の移動情報処理装置は、コンピュータを用いて、移動体において取得された取得情報に由来する映像データ及び移動データの少なくとも一部を含む移動情報を処理するための装置であって、情報取込操作に応じて前記移動情報を取り込む移動情報取込手段と、取り込まれた前記移動情報の前記映像データを再生する映像再生表示領域を形成するとともに再生操作に応じて前記映像データの再生状態の制御を行う映像再生表示手段と、取り込まれた前記移動情報の前記移動データに基づいて前記移動体の移動態様の時間変化を図形により表示する移動変化表示領域を形成するとともに前記映像データの再生時点に対応する前記移動変化表示領域上の位置を指示する移動変化表示手段と、チェック情報登録操作に応じて前記映像データの再生時点に対応する地点データを含むチェック情報を登録するとともに前記チェック情報に対応する前記移動変化表示領域上の位置を指示するチェック情報登録手段と、を具備する。本発明の移動情報処理装置は、コンピュータを上記各手段として機能させるためのプログラムに基づいて動作するコンピュータ・システムとして構成することができる。【００１２】
本発明によれば、情報取込操作があると、移動情報取込手段によって取り込まれた移動情報の映像データが映像再生表示手段により映像再生表示領域に再生される。また、再生操作に応じて映像再生表示領域において映像データの再生状態の制御が行われる。さらに、移動変化表示手段により移動変化表示領域が形成されて移動体の移動態様の時間変化が図形により表示されるとともに、映像データの再生時点に対応する移動変化表示領域上の位置が指示される。したがって、再生操作を行いながら映像再生表示領域の映像を視認し、さらに映像データの再生時点に対応する移動変化表示領域上の指示位置を確認することで、映像データの現在の再生時点が移動変化表示領域上のどの位置（地点若しくは時点）に対応するかを迅速かつ容易に把握することができる。これによって、上記表示位置の近傍における移動態様の変化を見ることにより、映像と移動態様若しくはその変化状況との関係を把握することができる。また、上記指示位置を基準としてその時間的前後の図形表示された移動態様を確認することにより、映像データの再生時点の時間的前後の表示態様を移動態様の変化によって推定することができる。さらに、チェック情報登録操作があると、チェック情報登録手段により映像データの再生時点に対応する地点データを含むチェック情報が登録されるので、容易にチェック情報を登録することができる。このとき、上記のように映像データの再生時点に対応する移動変化表示領域上の位置が指示されるので、映像データの再生時点の時刻前後の移動態様を参考にしつつチェック情報を登録することができるため、チェック情報の登録作業をさらに容易に行うことができる。【００１３】
本発明において、チェック情報出力操作に応じて前記チェック情報を出力するチェック情報出力手段をさらに具備することが好ましい。また、チェック情報入力操作に応じて前記チェック情報を入力するチェック情報入力手段をさらに具備することが好ましい。このようなチェック情報の入出力手段を設けることでチェック情報の利用をより汎用的かつ容易に行うことが可能になる。この場合において、前記チェック情報入力手段は、前記クリップ情報を検索し、前記クリップ情報が存在するときに前記クリップ期間に対応する地点データを含む前記チェック情報を登録することが望ましい。これによれば、クリップ情報が存在するときには、移動情報のうちの重要な期間としてクリップ期間が設定されていることになるので、クリップ情報に基づいて、そのクリップ情報に対応する地点データを含むチェック情報を登録することで、チェック情報の付与作業を容易に行うことができる。【００１４】
本発明において、クリップ情報設定操作に応じて前記映像データの再生時点に対応するクリップ期間を設定するとともに前記クリップ期間に対応する前記移動変化表示領域上の位置を指示するクリップ情報設定手段と、クリップ情報出力操作に応じて前記移動情報から前記クリップ期間内の前記映像データ及び前記移動データを取り出してクリップ情報として出力するクリップ情報出力手段と、をさらに具備することが好ましい。【００１５】
本発明において、上記クリップ情報設定手段は、クリップ期間開始操作に応じて前記映像データの再生時点に対応するクリップ開始時刻を設定するクリップ期間開始設定手段と、クリップ期間終了操作に応じて前記映像データの再生時点に対応するクリップ終了時刻を設定するクリップ期間終了設定手段との少なくとも一方を含むことが好ましい。また、クリップ情報設定手段は、クリップ情報設定操作に応じて前記映像データの再生時点の前後に対応するクリップ開始時刻とクリップ終了時刻を備えたクリップ期間を設定するように構成することもできる。【００１６】
次に、本発明の移動情報表示装置は、コンピュータを用いて、移動体において取得された取得情報に由来する映像データ及び移動データの少なくとも一部を含む移動情報を表示するための装置であって、情報取込操作に応じて前記移動情報を取り込む移動情報取込手段と、取り込まれた前記移動情報の前記映像データを再生する映像再生表示領域を形成するとともに再生操作に応じて前記映像データの再生状態を制御する映像再生表示手段と、取り込まれた前記移動情報の前記移動データに基づいて前記移動体の移動態様の時間変化を図形により表示する移動変化表示領域を形成するとともに前記映像データの再生時点に対応する前記移動変化表示領域上の位置を指示する移動変化表示手段と、を具備する。本発明の移動情報表示装置は、コンピュータを上記各手段として機能させるためのプログラムに基づいて動作するコンピュータ・システムとして構成することができる。【００１７】
本発明において、前記移動情報は、上記取得情報である場合がある。また、前記移動情報は、前記取得情報から所定のクリップ期間内の前記映像データ及び前記移動データを取り出してなるクリップ情報であることが好ましい。【００１８】
この場合に、前記クリップ情報は、前記取得情報に関する取得情報識別コード、及び、前記クリップ情報に関するクリップ情報識別コードと関連付けられることが好ましい。この場合にはさらに、前記移動情報取込手段は、複数の前記クリップ情報を前記取得情報識別コードと前記クリップ情報識別コードの異同に応じて分類して表示可能なクリップ分類表示領域を形成し、該クリップ分類表示領域の複数の表示分類の少なくとも一つを選択する前記情報取込操作に応じて、前記表示分類に属する一又は複数の前記クリップ情報を呼び出すことが望ましい。【００１９】
本発明において、前記移動情報に対して、前記映像データの再生時点に対応する地点データを含むチェック情報が関連付けられ、前記移動変化表示手段は、前記チェック情報に対応する前記移動変化表示領域上の位置を指示することが好ましい。【００２０】
次に、本発明の移動情報表示方法は、移動体において取得された取得情報に由来する映像データ及び移動データの少なくとも一部を含む移動情報を表示する方法であって、前記移動情報の前記映像データを映像再生表示領域において再生するとともに再生操作に応じて前記映像データの再生状態を制御可能な状態とし、前記状態で、前記移動情報の前記移動データに基づいて前記移動体の移動態様の時間変化を移動変化表示領域において図形により表示するとともに前記映像データの再生時点に対応する前記移動変化表示領域上の位置を指示することを特徴とする。【００２１】
次に、本発明の移動情報管理システムは、コンピュータを用いて、移動体において取得された取得情報に由来する映像データ及び移動データの少なくとも一部を含む移動情報を管理するためのシステムであって、前記移動体に設置され前記取得情報を取得する移動情報取得装置と、情報取込操作に応じて前記移動情報を取り込み、クリップ情報設定操作に応じて所定のクリップ期間を設定するとともに、クリップ情報出力操作に応じて前記移動情報から前記クリップ期間の前記映像データ及び前記移動データを含むクリップ情報を取り出す移動情報処理装置と、クリップ情報選択操作に応じて複数の前記クリップ情報から選択された一又は複数の前記クリップ情報を表示可能に構成された移動情報表示装置と、を具備することを特徴とする。本発明の移動情報処理装置及び移動情報表示装置は、各装置が有する上記機能を実現するためのプログラムに基づいて動作するコンピュータにより構成することができる。【００２２】
ここで、前記移動情報処理装置は、複数の前記クリップ情報を含むクリップ情報データベースを構成し、前記クリップ情報表示装置は、前記クリップ情報データベースに属する前記複数のクリップ情報から前記クリップ情報選択操作に応じて一又は複数の前記クリップ情報を選択可能な態様で表示することが好ましい。この場合に、前記クリップ情報データベースは、前記クリップ情報を、前記取得情報に関する取得情報識別コード、及び、前記クリップ情報に関するクリップ情報識別コードと関連付けたものであることが好ましい。【００２３】
また、前記移動情報表示装置は、前記クリップ情報データベースに属する前記複数のクリップ情報を前記取得情報識別コードと前記クリップ情報識別コードの異同に応じて分類して表示するクリップ分類表示領域を形成することが好ましい。【００２４】
さらに、前記移動情報表示装置は、前記クリップ情報選択操作に応じて選択された前記クリップ情報の前記映像データを再生する映像再生表示領域を形成するとともに、クリップ情報再生操作に応じて前記映像データの再生状態を制御し、また、選択された前記クリップ情報の前記移動データに基づいて移動態様の時間変化を図形により表示する移動変化表示領域を形成するとともに、前記映像データの再生時点に対応する前記移動変化表示領域上の位置を指示することが望ましい。【００２５】
次に、本発明の別の移動情報管理システムは、移動体において取得された取得情報に由来する映像データ及び前記移動体の移動データの少なくとも一部を含む移動情報を管理するためのシステムであって、前記移動体に設置され前記取得情報を取得する移動情報取得装置と、情報取込操作に応じて前記移動情報を取り込み、チェック情報登録操作に応じて前記移動情報の前記映像データの再生時点に対応する地点データを含むチェック情報を登録する移動情報処理装置と、前記移動情報を前記チェック情報と関連付けて表示可能に構成された移動情報表示装置と、を具備することを特徴とする。【００２６】
本発明において、前記移動情報表示装置は、前記移動情報の前記映像データを再生する映像再生表示領域を形成するとともに、再生操作に応じて前記映像データの再生状態を制御し、また、前記移動データに基づいて移動態様の時間変化を図形により表示する移動変化表示領域を形成するとともに、前記映像データの再生時点に対応する前記移動変化表示領域上の位置を指示することが好ましい。この場合に、前記チェック情報に含まれる前記地点データに対応する前記移動変化表示領域上の位置を指示することが望ましい。【００２７】
本発明及び本明細書において、「移動体」は、自動車や列車などの各種の車両、船舶、航空機、宇宙船などを含む。「移動体において取得された取得情報に由来する映像データ及び移動データの少なくとも一部を含む移動情報」は、移動体において取得された取得情報自体を包含し、また、この取得情報に何らかの加工を施した種々の情報であって上記取得情報に由来する映像データ及び移動データの少なくとも一部を含む全てのもの（例えば、クリップ情報）を包含する。また、「移動データ」とは、ＧＰＳデータを含み、移動体の位置、速度、加速度などの移動態様の時間変化を示すことのできるデータを言う。「図形」とは、地図、各種のグラフ、アイコン、記号などの各種の形状要素を含むパターンを言う。
【発明の効果】
【００２８】
本発明によれば、具体的な運転態様を把握するとともに多様な運転態様を数多く把握するために好適な移動情報処理装置、移動情報表示装置、移動情報表示方法及び移動情報管理システムを提供することができるという優れた効果を奏し得る。
【図面の簡単な説明】
【００２９】
【図１】本発明に係る実施形態の運行状況管理システムの全体構成を示す概略構成図。
【図２】同実施形態により実現される処理手順の前半部分の流れを示す概略フローチャート。
【図３】同実施形態により実現される処理手順の後半部分の流れを示す概略フローチャート。
【図４】同実施形態のクリップ情報生成プログラムの実行により実現される機能実現手段の構成を示す概略構成図。
【図５】同実施形態の運行状況レポートプログラムの実行により実現される機能実現手段の構成を示す概略構成図。
【図６】同実施形態のクリップ情報生成プログラムの実行により実現されるクリップ情報データベース生成手段により形成されたクリップ情報データベースの構成例を示す概略構成図。
【図７】クリップ情報生成プログラムのユーザーインターフェース（表示画面）を示す画面構成図。
【図８】クリップ情報生成プログラムのユーザーインターフェース（表示画面）を示す画面構成図。
【図９】クリップ情報生成プログラムのユーザーインターフェース（表示画面）を示す画面構成図。
【図１０】クリップ情報生成プログラムのユーザーインターフェース（表示画面）を示す画面構成図。
【図１１】クリップ情報生成プログラムのユーザーインターフェース（表示画面）を示す画面構成図。
【図１２】クリップ情報生成プログラムのユーザーインターフェース（表示画面）を示す画面構成図。
【図１３】クリップ情報生成プログラムのユーザーインターフェース（表示画面）を示す画面構成図。
【図１４】クリップ情報生成プログラムのユーザーインターフェース（表示画面）を示す画面構成図。
【図１５】クリップ情報生成プログラムのユーザーインターフェース（表示画面）を示す画面構成図。
【図１６】クリップ情報生成プログラムのユーザーインターフェース（表示画面）を示す画面構成図。
【図１７】クリップ情報生成プログラムのユーザーインターフェース（表示画面）を示す画面構成図。
【図１８】クリップ情報生成プログラムのユーザーインターフェース（表示画面）を示す画面構成図。
【図１９】クリップ情報生成プログラムのユーザーインターフェース（表示画面）を示す画面構成図。
【図２０】クリップ情報生成プログラムのユーザーインターフェース（表示画面）を示す画面構成図。
【図２１】クリップ情報生成プログラムのユーザーインターフェース（表示画面）を示す画面構成図。
【図２２】クリップ情報生成プログラムのユーザーインターフェース（表示画面）を示す画面構成図。
【図２３】クリップ情報生成プログラムのユーザーインターフェース（表示画面）を示す画面構成図。
【図２４】運行状況レポートプログラムのユーザーインターフェース（表示画面）を示す画面構成図。
【図２５】運行状況レポートプログラムのユーザーインターフェース（表示画面）を示す画面構成図。
【図２６】運行状況レポートプログラムのユーザーインターフェース（表示画面）を示す画面構成図。
【図２７】運行状況レポートプログラムのユーザーインターフェース（表示画面）を示す画面構成図。
【図２８】運行状況レポートプログラムのユーザーインターフェース（表示画面）を示す画面構成図。
【図２９】運行状況レポートプログラムのユーザーインターフェース（表示画面）を示す画面構成図。
【図３０】運行状況レポートプログラムのユーザーインターフェース（表示画面）を示す画面構成図。
【図３１】運行状況レポートプログラムのユーザーインターフェース（表示画面）を示す画面構成図。
【図３２】運行状況レポートプログラムのユーザーインターフェース（表示画面）を示す画面構成図。
【図３３】運行状況レポートプログラムのユーザーインターフェース（表示画面）を示す画面構成図。
【図３４】運行状況レポートプログラムのユーザーインターフェース（表示画面）を示す画面構成図。
【図３５】運行状況レポートプログラムのユーザーインターフェース（表示画面）を示す画面構成図。
【図３６】運行状況レポートプログラムのユーザーインターフェース（表示画面）を示す画面構成図。
【図３７】運行状況レポートプログラムのユーザーインターフェース（表示画面）を示す画面構成図。
【図３８】運行状況レポートプログラムのユーザーインターフェース（表示画面）を示す画面構成図。
【発明を実施するための形態】
【００３０】
次に、添付図面を参照して本発明の移動情報処理装置、移動情報表示装置、移動情報表示方法及び移動情報管理システムの実施形態について詳細に説明する。ここで、本実施形態においては、上記移動情報処理装置及び移動情報表示装置はコンピュータプログラムをそれぞれ実行するコンピュータにより実現されるものである。ここで、上記移動情報表示装置に対応する移動情報表示プログラムは、一般的には運行状況表示プログラムとして好適に用いられるものであるが、映像データ及び移動データを含む移動情報を何らかの形で表示するものであれば、これに限定されるものではない。また、上記移動情報管理システムは、一般的には運行状況管理システムとして好適に用いられるものであるが、映像データ及び移動データを含む移動情報を何らかの形で管理するものであれば、これに限定されるものではない。
【００３１】
［移動情報管理システム］
図１は、本発明の移動情報管理システムの実施形態である運行状況管理システムの全体構成を示す概略構成図、図２及び図３は本実施形態による処理手順を示す概略フローチャートである。本システムは、一般的にはコンピュータを利用して各種のプログラムを動作させることで構成できるものであるが、これに限定されるものではない。
【００３２】
本実施形態の運行状況管理システムは、図１に示すように、上記移動体に相当する走行車両に搭載され、上記移動情報に相当する走行車両の走行情報を取得する、移動情報取得装置に相当するドライブレコーダ１と、このドライブレコーダ１で取得された取得情報やこれに由来する映像データ及び走行データの少なくとも一部を含む走行情報を処理する、移動情報処理装置に相当する取得情報処理装置２と、上記走行情報を表示する、移動情報表示装置に相当する運行状況表示装置３とを有する。
【００３３】
ドライブレコーダ１は、走行車両の進行方向の前方映像や走行車両の乗務員（運転者など）の映像などを撮影して映像データを出力する撮影手段１ａと、音声を取り込んで音声データを出力する録音手段１ｂと、上記移動データに相当する走行データ（例えば、ＧＰＳデータ等を含むもの）を出力するＧＰＳ検知手段１ｃと、各データを記録するための記録媒体及び当該記録媒体への記録を制御する制御部を含む記録手段１ｄとを備えている。ドライブレコーダ１では、映像データ、音声データ及び走行データを取得時刻とともに相互に関連付けられた形で含む取得情報ＭＡを記録手段１ｄによって適宜の記録媒体に記録する運行記録処理が行われる（図２のＳＴＥＰ１参照）。例えば、所定の単位時間（例えば１秒）ごとに、記録媒体のトラック０には音声データＭａ０、トラック１には映像データＭａ１、トラック２には時刻やＧＰＳデータ等の走行データＭａ２が記録され、これらが取得時間にわたって繰り返し記録される。本明細書では、複数の取得情報ＭＡを管理する場合には図１に示すようにＭＡ（ｉ）（ｉは自然数）という表現を用いる。
【００３４】
上記の取得情報ＭＡはそのまま次の処理プロセスに用いることも可能であるが、本実施形態の運行状況管理システムでは、移動情報を容易に管理できるように、取得情報処理装置２において、取得情報ＭＡを、走行データＭｂ２を音声データＭｂ０及び映像データＭｂ１の最後尾にまとめて配置した取得情報ＭＢに変換するデータ変換処理を実行する（図２のＳＴＥＰ２参照）。ここで、音声データＭｂ０は音声データＭａ０と実質的に同等であり、映像データＭｂ１は映像データＭａ１と実質的に同等であり、走行データＭｂ２は走行データＭａ２と実質的に同等である。このデータ変換処理は、例えば、データ変換プログラムをコンピュータにより実行することにより実現される。なお、データ変換プログラムは単に上述のように取得情報ＭＡのデータ構造を変換するだけのものであるので説明を省略する。一般的には、取得情報ＭＡはドライブレコーダ１によって例えばＤＲＶファイル形式で記録され、データ変換後の取得情報ＭＢは汎用の映像ファイル形式（例えば、ＡＳＦファイル形式）とされる。
【００３５】
次に、取得情報処理装置２では、上記取得情報ＭＢを表示する取得情報再生処理を行う（図２のＳＴＥＰ３参照）。この取得情報再生処理では、取得情報ＭＢの少なくとも映像データを映像再生表示領域に再生表示する。また、走行データに基づいて移動態様（走行態様）に相当する速度の時間変化を走行変化表示領域に速度グラフなどの態様で図形的に表示する。取得情報ＭＢの再生表示は、後述する各処理に必須のものであり、走行態様の時間変化の図形表示は後述する各処理において操作者の作業を補助するものである。この処理は、例えば、後述するクリップ情報生成プログラムをコンピュータにより動作させることによって実行される。ここで、取得情報処理装置２は、例えば、コンピュータ本体２ａと、このコンピュータ本体２ａにより表示態様が制御される表示体２ｂとを有し、この表示体２ｂの表示画面上に上記映像再生表示領域及び走行変化表示領域が表示される。
【００３６】
次に、上記取得情報ＭＢに対してクリップ期間の設定を行うクリップ情報設定処理（図２のＳＴＥＰ４参照）と、設定されたクリップ期間の映像データ及び走行データを取得情報ＭＢから取り出してクリップ情報ＣＬを出力するクリップ情報出力処理（図２のＳＴＥＰ５参照）を行う。ここで、一般的には、同一若しくは異なる走行車両において取得された複数の取得情報ＭＢ（１）、ＭＢ（２）、ＭＢ（３）、・・・が用いられるので、取得情報ＭＢ（ｉ）（ｉは自然数）と表現する。また、この場合、一般的には各移動情報ＭＢ（ｉ）からそれぞれ複数のクリップ情報ＣＬ（ｉ，１）、ＣＬ（ｉ，２）、・・・が取り出されるので、クリップ情報ＣＬ（ｉ，ｊ）（ｉ，ｊはそれぞれ自然数）と表現する。上記のクリップ情報設定処理及びクリップ情報出力処理も、例えば、クリップ情報生成プログラムをコンピュータにより動作させることにより実行される。この処理において、コンピュータの操作者はクリップ情報ＣＬとして取り出すべき移動情報ＭＢのクリップ開始時刻とクリップ終了時刻で定められるクリップ期間を指定するクリップ情報設定操作及びクリップ情報出力操作を行い、コンピュータはクリップ情報設定操作に応じたクリップ期間でクリップ情報をクリップ情報出力操作に応じて出力する。
【００３７】
上記のように取り出されたクリップ情報ＣＬ（ｉ，ｊ）に基づいて、データベース構成処理によってクリップ情報データベースＤＢＣＬが構成される（図２のＳＴＥＰ６参照）。このデータベース構成処理もまた上記クリップ情報生成プログラムをコンピュータにより動作させることにより実行される。このデータベース構成処理によって形成されるクリップ情報データベースＤＢＣＬは、複数のクリップ情報ＣＬ（ｉ，ｊ）を、複数の取得情報ＭＢ（ｉ）を相互に識別するための取得情報識別コードＩｃｉと、或る取得情報ＭＢ（ｉ）から得られた複数のクリップ情報ＣＬ（ｉ，ｊ）を相互に識別するためのクリップ情報識別コードＩｃｊとにそれぞれ関連付けたものである。取得情報識別コードＩｃｉは、取得情報ＭＢが得られた走行車両を特定する車両特定情報（走行車両の車番、車種などの移動体特定情報）、当該走行車両の走行日時、当該走行車両の乗務員を特定する乗務員特定情報（乗務員の所属、従業員番号、氏名など）等に関する情報を記号、数値などで示すものである。また、クリップ情報識別コードＩｃｊは、クリップ情報ＣＬ（ｉ，ｊ）が取り出されたクリップ期間の日時、クリップ期間内の判定項目の種別（発進、停止、右左折等の基本的移動態様、一時停止違反、停止線オーバー、速度違反、追越違反、徐行、ふらつき、わき見、信号無視、車間距離不良、事故等の交通違反など）、当該判定項目に対する管理者による判定結果（不可、不適、可、適、推奨など）、移動経路に相当する走行経路上の特定箇所の種別（交差点（四つ角、Ｔ字路、Ｙ字路等）、停止線、踏切、合流点、４０キロ制限道路、高速道、駐車場、構内など）等に関する情報を記号、数値などで示すものである。本発明に係るクリップ情報データベースＤＢＣＬは、クリップ情報ＣＬ（ｉ，ｊ）を上記の二種類の識別コードＩｃｉ、Ｉｃｊのみと関連付ける場合に限られない。しかし、クリップ情報ＣＬを取得情報識別コードＩｃｉとクリップ情報識別コードＩｃｊに関連付けることによって、例えば、複数のクリップ情報ＣＬ（ｉ，ｊ）を二次元のマトリックス状に分類して表示することが可能になる。
【００３８】
また、上記取得情報処理装置２は、上記取得情報ＭＢの走行データＭｂ２によって示される上記走行経路上の特定の地点データをチェック情報ＣＨとして登録することもできる（図２のＳＴＥＰ８参照）。このチェック情報ＣＨは、例えば、上記走行経路上の重要箇所（交差点（四つ角、Ｔ字路、Ｙ字路等）、停止線、踏切、合流点、４０キロ制限道路、高速道、駐車場、構内など）等を示す地点データ（地点を示す位置データ或いは地点範囲を示すデータ、或いはこれと共に移動方向を含むデータ）により構成される。また、このチェック情報ＣＨは、上記地点データ以外に、上記の取得情報識別コードＩｃｉやクリップ情報識別コードＩｃｊ、或いは、これらのコードに対応する種々の情報を含むことができる。このチェック情報登録処理は、例えば、上記クリップ情報生成プログラムをコンピュータにより動作させることにより実行される。この処理において、コンピュータの操作者は取得情報ＭＢの特定の地点データに対応するチェック情報登録操作を行い、コンピュータはチェック情報設定操作に応じてチェック情報を登録する。
【００３９】
また、上記取得情報処理装置２は、必要があれば、チェック情報入力操作に応じて外部よりチェック情報ＣＨを入力するチェック情報入力処理を実行する（図２のＳＴＥＰ７参照）。また、必要があれば、上記の登録された、或いは、入力されたチェック情報ＣＨをチェック情報出力操作に応じて外部へ出力するチェック情報出力処理を実行する（図２のＳＴＥＰ９参照）。これらのチェック情報入力処理やチェック情報出力処理は、例えば、上記クリップ情報生成プログラムをコンピュータにより動作させることにより実行される。
【００４０】
上記のクリップ情報データベースＤＢＣＬに基づいて、クリップ情報ＣＬ（ｉ，ｊ）は、上記運行状況表示装置３により表示される。移動情報表示装置３は、クリップ情報取込操作に応じて、当該操作により選択されたクリップ情報データベースＤＢＣＬに基づいて、複数のクリップ情報ＣＬ（ｉ，ｊ）が移動情報識別コードＩｃｉとクリップ情報識別コードＩｃｊの異同により分類され、且つ、複数のクリップ情報ＣＬ（ｉ，ｊ）のうち一又は複数のクリップ情報が選択可能となるように表示されたクリップ分類表示領域を形成するクリップ分類表示処理を行う（図３のＳＴＥＰ１０参照）。そして、このクリップ分類表示領域の所定の表示分類に対して行われるクリップ情報選択操作に応じて、上記表示分類に属する一又は複数のクリップ情報を呼び出すクリップ情報呼出処理を行う（図３のＳＴＥＰ１１参照）。これらのクリップ分類表示処理及びクリップ情報呼出処理は、クリップ情報を取り込むための移動情報（クリップ情報）取込処理に相当する。この移動情報（クリップ情報）取込処理は、例えば、コンピュータにより後述する運行状況レポートプログラムを動作させることにより実行される。ここで、運行状況表示装置３は、例えば、コンピュータ本体３ａと、このコンピュータ本体３ａにより表示態様が制御される表示体３ｂとを有し、この表示体３ｂの表示画面上に上記映像再生表示領域及び走行変化表示領域が表示される。なお、運行状況表示装置３は上記取得情報処理装置２を構成するハードウェアであるコンピュータ本体２ａ及び表示体２ｂにより構成してもよい。
【００４１】
次に、上述のように選択された一又は複数のクリップ情報ＣＬを再生するクリップ情報再生処理を行う（図３のＳＴＥＰ１２参照）。このクリップ情報再生処理も、上記運行状況レポートプログラムをコンピュータにより動作させることにより実行される。クリップ情報取込処理により複数のクリップ情報が選択されて取り込まれた場合には、複数のクリップ情報の中からクリップ情報再生処理によって再生表示されるクリップ情報をさらに選択することができ、また、複数のクリップ情報を相前後して連続的に表示することも可能である。また、このクリップ情報再生処理においても、上述のように走行態様の時間変化を示す走行変化表示領域を形成して、この領域に速度の時間変化グラフ等の図形を表示することが好ましい。
【００４２】
上記運行状況レポートプログラムを動作させることにより、コンピュータは、コンピュータの操作者のクリップ情報編集操作に応じてクリップ情報編集処理を行う（図３のＳＴＥＰ１３参照）。具体的には、例えば、表示されたクリップ情報に対して上記編集操作に応じたコメントや判定結果などの種々の追加情報を付加する。また、コンピュータによる上記運行状況レポートプログラムの動作により、コンピュータの操作者の操作に応じて個別ファイル出力処理が行われる（図３のＳＴＥＰ１４参照）。この個別ファイル出力処理においては、上記クリップ情報選択操作に応じて選択された一又は複数のクリップ情報に関する書誌データなどを含む個別ファイルが出力される。
【００４３】
［クリップ情報生成プログラム］
次に、図４並びに図７乃至図２３を参照して、本発明に係る移動情報処理装置（移動情報処理プログラム）及び移動情報表示装置（移動情報表示プログラム）の実施形態に相当するクリップ情報生成プログラムについて説明する。図４は、クリップ情報生成プログラムをコンピュータにより実行することにより実現される機能実現手段の構成を示す概略構成図、図７乃至図２３は、クリップ情報生成プログラムをコンピュータにより実行する際に種々の手順において表れる表示画面の例を示す画面構成図である。
【００４４】
本実施形態のクリップ情報生成プログラムＰ１では、プログラムを起動すると図７に示す表示画面（実際には表示ウィンドウ、以下同様。）Ｇ１が形成される。この表示画面Ｇ１には、画面左側に入力ファイル指定領域ｇ１１が設けられる。入力ファイル指定領域ｇ１１には、入力フォルダを指定するための入力フォルダ指定部ｇ１１ａと、入力フォルダ内の上記取得情報ＭＢを格納した取得情報ファイル（ＡＳＦファイル）を表示する入力ファイル表示部ｇ１１ｂと、上記クリップ情報ＣＬを格納した後述するクリップ情報ファイルの保存フォルダを指定する出力フォルダ指定部ｇ１１ｃとが形成される。
【００４５】
コンピュータの操作者が入力フォルダ指定部ｇ１１ａに対してマウスによるダブルクリック操作等のフォルダ指定操作を行うと、図８に示す入力フォルダ指定ダイアログｇ１１ｄが表示され、取得情報ＭＢ（ｉ）が格納された入力フォルダの指定操作を行うと、これに応じて入力フォルダ（ＡＳＦフォルダ）が設定される。このようにコンピュータの操作者が入力フォルダを設定すると、図９に示すように、当該入力フォルダに格納されている取得情報ＭＢ（ｉ）を備えた一又は複数の取得情報ファイルが読み込まれ、上記入力フォルダ指定部ｇ１１ａの下方に形成された入力ファイル表示部ｇ１１ｂに所定の順番（図示例ではファイル名で示される記録日時に応じた順番）で表示される。
【００４６】
また、上記入力ファイル表示部ｇ１１ｂに表示された一又は複数の取得情報ファイルはマウスによるクリック操作等により個々に選択可能に構成されている。コンピュータの操作者がこの入力ファイル選択操作を行うと、取得情報ファイルは例えば反転表示されることで他と区別された態様とされ、これにより特定の取得情報ファイルが選択されていることが示される。以上の動作は、入力ファイル指定領域ｇ１１に対するコンピュータの操作者による上述の入力フォルダ指定操作、入力ファイル選択操作に応じて、図４に示す取得情報取込手段Ｐ１ａによって実行される。
【００４７】
図７に示すように、上記入力フォルダ指定部ｇ１１ａ及び入力ファイル表示部ｇ１１ｂの右側には、矩形状の映像再生表示領域ｇ１２が形成される。この映像再生表示領域ｇ１２は、上記の選択された取得情報ファイルの映像データＭｂ１が再生可能に構成される。図示例では、映像再生表示領域ｇ１２内に前方映像と車内映像が左右に並んで表示されているが、単一の映像のみを表示してもよく、３以上の映像を同時に表示してもよい。これらの表示態様は、映像データＭｂ１の構成に応じて適宜に構成される。また、当該取得情報ファイルの音声データＭｂ０も再生可能に構成される。映像再生表示領域ｇ１２の下方には再生操作入力部ｇ１２ｓが設けられる。この再生操作入力部ｇ１２ｓには、左側から右側へ向けて順に、音声データ及び映像データＭｂ０の再生動作に対する巻戻ボタン、停止ボタン、再生ボタン、一時停止ボタン、送りボタンが配置される。これらの各ボタンに対する再生操作に応じて、上記映像再生表示領域ｇ１２の再生状態が制御される。
【００４８】
また、再生操作入力部ｇ１２ｓの右側には、上記ファイル表示部ｇ１１ｂに表示された複数の移動情報ファイルを連続して再生する連続再生モードと、選択された移動情報ファイルのみを再生する個別再生モードとを交互に切り替え可能な連続再生ボタンｇ１２ｔが配置される。図１５はコンピュータの操作者が連続再生モードを選択操作した結果、連続再生ボタンｇ１２ｔが強調表示された状態を示している。さらに、図７に示すように、映像再生表示領域ｇ１２の右下には音量調整操作部ｇ１２ａが形成される。なお、上記再生操作入力部ｇ１２ｓの図示右側には、上記映像再生表示領域ｇ１２において再生される再生速度を選択できる再生速度設定部ｇ１２ｑが形成される。ここで、図示例では「×１」＝１倍速が選択されているが、「×２」＝２倍速、「×５」＝５倍速、「×１０」＝１０倍速等も選択可能である。上記の再生操作入力部ｇ１２ｓに対する再生操作の入力により、上記映像再生表示領域ｇ１２における映像データＭｂ１の再生動作は、図４に示す映像再生表示手段Ｐ１ｂによって実行される。
【００４９】
映像再生表示領域ｇ１２のさらに右側には、再生ファイル情報表示領域ｇ１３が設けられる。この再生ファイル情報表示領域ｇ１３には、図９に示すように、選択されたり再生されたりした取得情報ファイルの書誌事項、すなわち、走行日時、走行時刻、車番（走行車両の特定情報）などを表示するファイル情報表示部ｇ１３ａと、映像再生表示領域ｇ１２において再生されている映像（及び音声）の再生時刻（映像（及び音声）の再生時点）、再生時間（映像（及び音声）の再生開始後の経過時間）などを表示する再生情報表示部ｇ１３ｂとが形成されている。
【００５０】
上記映像再生表示領域ｇ１２の下方には、上記取得情報ファイルに格納された取得情報ＭＢ（ｉ）の走行データＭｂ２に基づいて走行態様の時間変化を表示する走行変化表示領域ｇ１４が形成される。ここで、この走行変化表示領域g１４は、移動態様の時間変化を表示する上記移動変化表示領域に相当する。この走行変化表示領域ｇ１４は、上記走行態様の時間変化を図形で表示するものであり、図示例では縦軸に速度をとり、横軸に時間をとった折れ線グラフにより速度変化を表示している。ただし、走行変化表示領域ｇ１４の図形表示は、折れ線グラフに限らず、棒グラフなどの他の図形であってもよい。また、走行態様としては、速度に限らず、走行経路上の位置（この場合、地図上などに表示するものが考えられる。）や加速度であってもよい。なお、走行変化表示領域ｇ１４の左上には再生時点における速度値を表示する速度値表示部ｇ１４ｐが形成されている。
【００５１】
上記走行変化表示領域ｇ１４には、図９に示すように、上記映像データＭｂ１（及び音声データＭｂ０）の再生時点に対応する位置を示す縦の再生位置指示線ｇ１４ｎが表示される。この再生位置指示線ｇ１４ｎは、上記映像再生表示領域ｇ１２に表示される再生映像の進行に伴って図示右側へ移動し、上記再生操作入力部ｇ１２ｓに対する操作に応じて再生映像の停止、巻戻、又は、送りが生じた場合には、これらに伴って停止し、図示左側へ移動し、又は、図示右側へ移動する。すなわち、図９及び図１０に示すように、再生位置指示線ｇ１４ｎは常に上記映像再生表示領域ｇ１２の再生時点に対応する走行変化表示領域ｇ１４上の位置を指示するようになっている。また、走行変化表示領域ｇ１４には、クリップ情報設定操作に応じて、設定されたクリップ期間のクリップ開始時刻に対応する上記走行変化表示領域ｇ１４上の位置を指示する開始位置指示線ｇ１４ｓと、同クリップ期間のクリップ終了時刻に対応する同位置を指示する終了位置指示線ｇ１４ｆとが、後述するクリップ設定領域ｇ１６の設定操作の態様に応じて表示できるようになっている。
【００５２】
また、上記走行変化表示領域ｇ１４内は全てマウスによるクリック操作等の位置入力操作を受け入れる入力位置検出領域とされている。そして、図１１に示すように、上記位置入力操作により走行変化表示領域ｇ１４内の位置が指示されると、当該位置に上記再生位置指示線ｇ１４ｎが移動し、上記映像再生表示領域ｇ１２において再生されている映像（及び音声）は、当該再生位置指示線ｇ１４ｎの位置に対応する再生時点に移行するようになっている。
【００５３】
また、図９に示すように、上記走行変化表示領域ｇ１４の図示左側には移動変化表示設定部ｇ１５が形成される。この移動変化表示設定部ｇ１５には、上記走行変化表示領域ｇ１４の横軸の表示倍率を設定するための時間表示設定部ｇ１５ａと、縦軸の表示倍率（最高速度）を設定するための速度表示設定部ｇ１５ｂと、走行態様の変化（速度変化）を示すグラフの表示態様をなめらかにする表示フィルタ機能のチェックボックスを有する表示態様設定部ｇ１５ｃとが設けられる。また、この移動変化表示設定部ｇ１５には時間表示設定と速度表示設定を既定値に戻すボタンが形成される。この移動変化表示設定部ｇ１５に対する操作や前述の各種操作に応じて、上記の走行変化表示領域ｇ１４における表示動作は、図４の移動変化表示手段Ｐ１ｃによって実行される。
【００５４】
上記映像再生表示領域ｇ１２の図示右下にはクリップ情報設定領域ｇ１６が形成される。このクリップ情報設定領域ｇ１６には、クリップ期間を示す上記開始指示線ｇ１４ｓと終了指示線ｇ１４ｆとからなるインジケータを表示するか否かを設定するインジケータ表示設定部ｇ１６ａと、クリップ期間の時間幅を固定するか否かを設定するクリップ期間幅設定表示部ｇ１６ｂと、上記クリップ開始時刻を設定する設定ボタンＡ及び上記クリップ終了時刻を設定する設定ボタンＢ、並びに、設定されたクリップ開始時刻及びクリップ終了時刻をそれぞれ表示する時刻表示を備えたクリップ期間設定表示部ｇ１６ｃと、上記クリップ期間に対応する走行車両の走行距離を示すクリップ走行距離表示部ｇ１６ｄと、を備えている。
【００５５】
上記クリップ期間幅設定表示部ｇ１６ｂでは、上記設定ボタンＡ又はＢを操作すると、その操作時における再生時点、すなわち再生位置指示線ｇ１４ｎに対応する時刻に、クリップ開始時刻又はクリップ終了時刻が設定される。このとき、図示右側の時間表示ボックス内に数字を入れてクリップ期間の時間幅を設定し、図示左側のチェックボックスをチェックしてクリップ期間を固定した場合には、クリップ開始時刻とクリップ終了時刻のいずれか一方の時刻を指定すると、他方の時刻は上記クリップ期間の時間幅により自動的に設定される。また、上記チェックボックスのチェックを外した場合には、上記設定ボタンＡとＢをそれぞれ操作することによりクリップ開始時刻とクリップ終了時刻を別々に設定することができ、両時刻が設定されると上記時間表示ボックス内にクリップ期間の時間幅が自動的に計算されて表示される。ここで、上記のクリップ情報設定動作は、クリップ期間幅設定表示部１６ｂに対する操作やその他の操作に応じて、図４に示すクリップ情報設定手段Ｐ１ｄにより実行される。
【００５６】
また、上記クリップ情報設定領域ｇ１６には、設定されたクリップ期間のみを再生するプレビューボタンｇ１６ｅと、設定されたクリップ期間の音声データＭｂ０、映像データＭｂ１及び走行データＭｂ２を切り出したクリップ情報ＣＬ（ｉ，ｊ）を含むクリップ情報ファイルを出力し、保存するための二種のクリップ出力ボタンｇ１６ｆ及びｇ１６ｇが設けられている。さらに、上記入力ファイル指定領域ｇ１１と上記移動変化表示設定部ｇ１５との間に配置された上記出力フォルダ指定部ｇ１１ｃでは、図１２に示すように、コンピュータの操作者がマウスのダブルクリック等の特定の出力フォルダ指定操作を行うと、出力フォルダ指定ダイアログｇ１１ｅが表示される。この出力フォルダ指定ダイアログｇ１１ｅでは、上記クリップ情報設定領域１６に対するクリップ情報設定操作に応じたクリップ期間を備えたクリップ情報ファイルの保存フォルダを指定することができる。
【００５７】
上記のクリップ出力ボタンｇ１６ｆ「ＣＬＩＰ１」を選択操作すると、図１７に示すクリップ出力ダイアログｇ１６ｈが表示される。そして、図１８に示すように、図示左側の入力アシストボックス内の所定の判定情報（図示例ではクリップ情報識別コードである判定結果）をコンピュータの操作者がマウスのクリック操作等により選択すると、上記保存フォルダ内の複数のサブフォルダが表示された図示右側のサブフォルダボックス内において、上記判定情報に対応するサブフォルダが自動的に指定され、その下方の指定ボックス内に表示される。ここで、コンピュータの操作者が保存ボタンをマウスのクリック操作等で操作することで、図１９に示すように、上記所定の判定情報をファイル名とするクリップ情報ファイルが上記サブフォルダ内に保存される。なお、コンピュータの操作者が上記のクリップ出力ボタンｇ１６ｇ「ＣＬＩＰ２」を選択操作すると、図２０に示すように、出力フォルダ指定ダイアログｇ１６ｉが開くため、図２１に示すように、フォルダを直接指定してクリップ情報ファイルを保存することができる。上記のクリップ情報ファイルの出力動作は、図４に示すクリップ情報出力手段Ｐ１ｅによって実行される。
【００５８】
上記クリップ情報出力手段Ｐ１ｅによって実行されるクリップ情報ファイルの出力動作は、特に、図２に示すデータベース構成処理ＳＴＥＰ６を伴うことが好ましい。このデータベース構成処理ＳＴＥＰ６は、上記のクリップ情報データベースＤＢＣＬを形成する処理である。図６には、クリップ情報データベースの具体的な構成例を示す。この構成例では、本実施形態のクリップ情報生成プログラムＰ１によって出力されるクリップ情報ファイルがルートフォルダＲＦＣＬ内に格納されるように設定されている。図示例では、ルートフォルダＲＦＣＬ内に複数階層（図示例では３階層まで）のサブフォルダＣＬＡ、ＣＬＢ、ＣＬＣ、ＣＬａ１、ＣＬａ２、ＣＬｃ１、ＣＬａ１ａが形成され、最下層のサブフォルダＣＬａ１ａ、ＣＬａ２、ＣＬＢ、ＣＬｃ１内に上記のクリップ情報データベースＤＢＣＬがそれぞれ構成される。
【００５９】
クリップ情報データベースＤＢＣＬには、例えば、上記サブフォルダＣＬａ１ａ内に保存された複数のＤＢフォルダＳ１、Ｓ２、・・・が設けられる。これらのＤＢフォルダにはそれぞれ上記クリップ情報ファイルＳ１１、Ｓ１２、・・・が格納される。ＤＢフォルダＳ１、Ｓ２、・・・には、例えば判定項目の種別などのクリップ情報識別コードＩｃｊの少なくとも一部が、例えばフォルダ名として記録される。また、各クリップ情報ファイルＳ１１、Ｓ１２、・・・には、例えば、取得情報ファイルのファイル名、車番などの走行車両の特定情報や走行日時といった取得情報識別コードＩｃｉの少なくとも一部が、例えばファイル名として記録される。なお、クリップ情報識別コードＩｃｊや取得情報識別コードＩｃｉはフォルダ名やファイル名として記録される場合に限らず、フォルダ内の適宜のファイルに、或いは、ファイル内の適宜の構成エリアに記録されていてもよい。ただし、上記のように各コードがフォルダ名及びファイル名として記録されていることにより、これらのフォルダ名やファイル名として記録されている識別コードのみを認識して後述する運行状況レポートプログラムＰ２によって分類表示することが容易になる。
【００６０】
図１２に示すように、上記映像再生表示領域ｇ１２と上記走行変化表示領域ｇ１４との間には、チェック情報操作入力部ｇ１７が形成される。図示例では、チェック情報操作入力部ｇ１７には、チェック情報登録アイコンｇ１７ａと、チェック情報展開リストｇ１７ｂとが形成されている。コンピュータの操作者がチェック情報展開リストｇ１７ｂを選択すると、図１３に示すように、チェック情報登録ボタンｇ１７ｃ、チェック情報検索ボタンｇ１７ｄ、クリップ一括登録ボタンｇ１７ｅ、チェック情報出力ボタンｇ１７ｆ及びチェック情報入力ボタンｇ１７ｇが表示される。チェック情報登録アイコンｇ１７ａとチェック情報登録ボタンｇ１７ｃは同じ機能を有し、これらをコンピュータの操作者が選択操作すると、選択した時点の映像データの再生時点に対応する地点データがチェック情報ＣＨとして登録される。また、図１１に示すように、コンピュータの操作者が走行変化表示領域ｇ１４内をマウスの右クリック等で指示することにより上記チェック情報ＣＨを登録することもできる。
【００６１】
チェック情報ＣＨの登録は、上記取得情報ファイルやクリップ情報ファイル以外のチェック情報ファイル（或いは、チェック情報データベース）に記録されることにより行われる。ただし、チェック情報ＣＨを取得情報ＭＢ（ｉ）とともに取得情報ファイルに記録するようにしてもよい。チェック情報ＣＨの内容としては、例えば、地点データを示す座標データ（ＧＰＳデータ）が必須の要素とされる。もちろん、間接的にではあっても上記地点データを特定できる情報であればよいので、上記座標データに限定されるものではない。チェック登録の日時、或いは、当該地点データが取り込まれた際に表示されていた取得情報ファイルの名称や格納場所、当該取得情報ファイルにおける上記座標データを通過したときの再生時点の時刻データ、上記地点における走行車両の走行方向データなどをも含めてもよい。
【００６２】
上述のように登録操作を受けたチェック情報ＣＨは、映像データの再生時点に対応する地点データを有するものであり、例えば、本実施形態では、上記再生時点に対応する地点データを含む。ただし、本実施形態では、チェック情報ＣＨは、単に上記地点データそのものではなく、当該地点データを中心とする所定の範囲（例えば半径５０ｍの範囲）を示すものとして設定される。また、当該チェック情報ＣＨが登録されると、図１４に示すように、当該チェック情報ＣＨは上記走行変化表示領域ｇ１４内に指示される。図示例では、上記走行変化表示領域ｇ１４のグラフ表示エリアの上縁に表示される着色された帯状マークがチェック情報ＣＨを表示するチェック情報マーカーｇ１４ｃｈである。この場合、上記地点を中心とする例えば半径５０ｍの範囲を走行しているときの記録範囲が上記チェック情報マーカーｇ１４ｃｈの時間軸方向の長さによって表示される。したがって、走行速度が大きい場合には上記チェック情報マーカーｇ１４ｃｈの帯形状が短く表示される。なお、本実施形態ではチェック情報ＣＨを一定の距離範囲となるように登録しているが、一定の時間範囲となるように登録してもよく、或いは、単に一地点若しくは一時点の情報として登録してもよい。
【００６３】
上記チェック情報検索ボタンｇ１７ｄをコンピュータの操作者が選択操作すると、図２２に示す確認ダイアログボックスが開き、これに同意すると、上記入力ファイル表示ボックスｇ１１ｂ内に表示された複数の取得情報ファイル内で検索が実行され、図２３に示すように、チェック情報が登録されている取得情報ファイルの表示部分が着色して表示される。コンピュータの操作者が着色された取得情報ファイルを選択操作すると、図１４等に示すように上記チェック情報マーカーｇ１４ｃｈが含まれた走行変化表示領域ｇ１４が表示される。また、コンピュータの操作者が上記クリップ一括登録ボタンｇ１７ｅを選択操作すると、クリップ情報ファイルが保存されているフォルダを指定する指定ダイアログ（図示せず）が表示され、フォルダの指定操作を行うと、当該フォルダ内にあるクリップ情報ファイルの地点データを自動的に登録することができる。この場合、クリップ情報ファイルに取得情報ファイルの名称などが例えばファイル名の一部などの形で記録されていると、これを読み取って、表示されている複数の取得情報ファイルのうちの対応する取得情報ファイルに関連付けた形で、例えば対象となる取得情報ファイルの名称を含むチェック情報ＣＨを登録することにより、当該取得情報ファイルが再生表示されたときにのみ上記走行変化表示領域ｇ１４にチェック情報マーカーｇ１４ｃｈを表示するように構成できる。
【００６４】
上記チェック情報ファイルは上記クリップ情報生成プログラムが実行されているコンピュータ内に上記チェック情報ファイルとして登録され、或いは、より好ましくは、複数のチェック情報ファイルを格納したチェック情報フォルダなどを形成するなど、チェック情報データベースとして登録される。以上の動作は、上述のチェック情報登録操作に応じて、図４に示すチェック情報登録手段Ｐ１ｆにより実行される。ここで、登録されたチェック情報ＣＨを他のコンピュータ等の端末間で共有したり活用したりする場合には、コンピュータの操作者は、上記チェック情報出力ボタンｇ１７ｆを操作することにより上記チェック情報ファイル内の登録データを出力することができる。この動作は、チェック情報出力操作に応じて、図４に示すチェック情報出力手段Ｐ１ｇにより実行される。また、逆に外部からチェック情報を取り込む場合には、コンピュータの操作者は、上記チェック情報入力ボタンｇ１７ｇを操作することで登録データを取り込むことができる。この動作は、チェック情報入力操作に応じて、図４に示すチェック情報入力手段Ｐ１ｈにより実行される。
【００６５】
図９に示すように、上記映像再生表示領域ｇ１２と上記走行変化表示領域ｇ１４との間には、ＯＰＴＩＯＮボタンｇ１８が形成され、このＯＰＴＩＯＮボタンｇ１８をコンピュータの操作者が操作すると、図１６に示すように、複数の設定項目を含む設定リストｇ１８ａが現れて選択操作に応じて適宜の設定を行うことができるようになっている。
【００６６】
［運行状況レポートプログラム］
次に、図５並びに図２４乃至図３６を参照して、本発明に係る移動情報処理装置（移動情報処理プログラム）及び移動情報表示装置（移動情報表示プログラム）の実施形態に相当する運行状況レポートプログラムについて説明する。図５は、運行状況レポートプログラムをコンピュータにより実行することにより実現される機能実現手段の構成を示す概略構成図、図２４乃至図３８は、運行状況レポートプログラムをコンピュータにより実行する際に種々の手順において表れる表示画面の例を示す画面構成図である。
【００６７】
本実施形態の運行状況レポートプログラムＰ２では、プログラムを起動すると図２４に示す表示画面（実際には表示ウィンドウ、以下同様。）Ｇ２が形成される。この表示画面Ｇ２には、左上に操作メニューｇ２１が形成され、操作メニューｇ２１には、ファイル操作入力部ｇ２１ａと、設定操作入力部ｇ２１ｂが形成される。操作メニューｇ２１の下方には、走行月表示部ｇ２２ａ、入力フォルダ表示部ｇ２２ｂ、走行月操作部ｇ２２ｃ及びデータ検索ボタンｇ２２ｄを備えた操作設定表示部ｇ２２が形成される。この操作設定表示部ｇ２２では、コンピュータの操作者による走行月操作部ｇ２２ｃに対する操作に応じて走行月表示部ｇ２２ａに表示すべき月次が表示され、コンピュータの操作者がデータ検索ボタンｇ２２ｄを操作するとデータが存在するサブフォルダが自動的に検索されていずれかのサブフォルダが後述するデータベース表示領域ｇ２３に表示される。また、上記の検索によりルートフォルダＲＦＣＬ内に複数のサブフォルダが存在するときには、複数のサブフォルダがフォルダ表示部ｇ２２ｂのプルダウンリストに表示され、当該リスト内から表示すべきサブフォルダをコンピュータの操作者が選択できるようになっている。
【００６８】
操作設定表示部ｇ２２の下方にはデータベース表示領域ｇ２３が形成される。このデータベース表示領域ｇ２３は、上述のクリップ情報データベースの全体構成を分類表示する領域であり、表示画面Ｇ２の主体部分を占めている。データベース表示領域ｇ２３の右上には一覧表出力ボタンｇ２３ａが形成される。コンピュータの操作者が一覧表出力ボタンｇ２３ａを操作すると、データベース表示領域ｇ２３内に表示されているデータ内容が後述する分類表示に対応する一覧表の形でファイル出力されるようになっている。
【００６９】
コンピュータの操作者が操作メニューｇ２１の設定操作部ｇ２１ｂを選択操作すると、図２５に示すように環境設定のドロップダウンメニューが表示され、このメニュー内の環境設定を操作すると、図２６に示す環境設定ダイアログｇ２１ｃが表示される。環境設定ダイアログｇ２１ｃには、クリップ情報が保存される上記ルートフォルダＲＦＣＬを指定するためのルート指定部ｇ２１ｄと、コンピュータ内に設定され、各種の検索キーの設定やリンクデータ等を登録してクリップ情報データベースを統括管理する内部管理データベースを指定するための内部管理ＤＢ指定部ｇ２１ｅとが設けられ、さらに、必要に応じてその他の設定部分が形成される。
【００７０】
一方、コンピュータの操作者が操作メニューｇ２１のファイル操作部ｇ２１ａを選択操作すると、図２７に示すようにインポートメニューｇ２１ｆ及び再構成メニューｇ２１ｇのドロップダウンメニューが表示される。コンピュータの操作者がインポートメニューｇ２１ｆを選択操作すると、図２８に示す入力ダイアログｇ２１ｈが表示される。入力ダイアログｇ２１ｈでは、インポートすべきクリップ情報データベースが格納された入力フォルダを指定する入力フォルダ指定部ｇ２１ｉ及びこの指定したフォルダ内の構成を表示する入力フォルダ表示部ｇ２１ｊと、インポート先のＤＢフォルダを指定するＤＢフォルダ指定部ｇ２１ｋ及びこの指定したＤＢフォルダ内の構成を表示するＤＢフォルダ表示部ｇ２１ｌとが設けられている。またファイル表示部ｇ２１ｍには、インポートされたクリップ情報ファイルが表示される。コンピュータの操作者がインポートボタンｇ２１ｎを操作すると、図２９に示すように、上記入力フォルダ指定部ｇ２１ｉで指定され上記入力フォルダ表示部ｇ２１ｊに表示されたフォルダ内のクリップ情報ファイルが、上記ＤＢフォルダ指定部ｇ２１ｋで指定され上記ＤＢフォルダ表示部ｇ２１ｌに表示されたＤＢフォルダにインポートされる。
【００７１】
コンピュータの操作者が図２７に示す再構成メニューｇ２１ｇを選択操作すると、図３０に示す確認表示ダイアログｇ２１ｏが表示され、右下の再構成ボタンｇ２１ｐを操作すると、上記のインポート処理による変更内容をデータベース構成に反映するために、図３１に示すようにクリップ情報データベースの再構成が行われる。
【００７２】
次に、上記データ検索ボタンｇ２２ｄを選択操作すると、図３２に示すようにルートフォルダＲＦＣＬ内にあるクリップ情報データベースＤＢＣＬの内容が上記データベース表示領域ｇ２３内に表示される。このデータベース表示領域ｇ２３の表示は、クリップ情報ファイルに格納されたクリップ情報ＣＬ（ｉ，ｊ）を上記取得情報識別コードＩｃｉ及び上記クリップ情報識別コードＩｃｊの異同により分類して表示するものである。本実施形態では、この分類表示態様Ｍは、取得情報識別コードＩｃｉが行、クリップ情報識別コードＩｃｊが列となる態様で二次元行列を構成する表形式となっている。図示例では、取得情報識別コードＩｃｉとして図示左端の行タイトル列に表示された車番及び乗務員名並びに検出日ごとに行が構成され、クリップ情報識別コードＩｃｊとして図示上端の列タイトル行に表示された判定項目ごとに列が構成される。また、取得情報識別コードＩｃｊごとに図示右端に「その他」の欄が設けられ、元となる取得情報ＭＢ（ｉ）ごとにクリップ情報ＣＬ（ｉ，ｊ）に移動時に発生した事象が記録される。
【００７３】
上記データベース表示領域ｇ２３において表形式で分類表示されたクリップ情報データベースＤＢＣＬにおいては、上記取得情報識別コードＩｃｉと上記クリップ情報識別コードＩｃｊの異同に応じて構成された縦横マトリクス状の上記分類表示態様Ｍの複数のセルｍｓ内にそれぞれ一又は複数のクリップ情報ＣＬ（ｉ，ｊ）が関連付けられ、各クリップ情報に対応する表示マーカーが表示される。図示例では、各セルｍｓ内にはクリップ情報ＣＬ（ｉ，ｊ）の判定結果を示す記号が表示されている。ここで、図示例の判定結果では、交通違反のないケースにおいて記号「◎」が優、記号「○」が良、記号「△」が可とされ、交通違反のあるケースで記号「▲」が軽微な違反、記号「●」が重大違反、記号「？」は判定困難を示している。そして、以上の動作は、上記操作設定表示部ｇ２２に対する操作に応じて、図５に示すクリップ分類表示手段Ｐ２ａにより実行される。
【００７４】
上記の行列形式若しくは表形式の分類表示態様Ｍでは、両識別コードＩｃｉ,Ｉｃｊによって分類された各セルｍｓ内をコンピュータの操作者がマウスによるクリック等で選択操作すると、当該選択されたセルｍｓ内の表示に対応する一又は複数のクリップ情報ＣＬが一括して選択される。また、取得情報識別コードＩｃｉ又はクリップ情報識別コードＩｃｊそのものを表示する図示左端の行タイトル列中の行タイトルｍｉ若しくは図示上端の列タイトル行中の列タイトルｍｊをコンピュータの操作者が選択操作すると、当該行若しくは列に含まれる全てのクリップ情報ＣＬが選択される。なお、「その他」のセルｍｓには、それが属する行の取得情報識別コードに対応する取得情報中で注目すべき一又は複数のクリップ情報が関連付けられ、上記選択操作により当該注目すべきクリップ情報が一括して選択される。
【００７５】
上記のようにして図３２に示すようにデータベース表示領域ｇ２３に表示された一又は複数のクリップ情報ＣＬが選択されると、選択されたクリップ情報ＣＬが呼び出され、図３３に示すように、表示画面Ｇ３（表示ウィンドウ）が表示画面Ｇ１とは別に形成され、その中の映像リストｇ３１内に選択されたクリップ情報ＣＬが上記識別コードＩｃｉ、Ｉｃｊの少なくとも一部により表示される。なお、上記のデータベース表示領域ｇ３２に対するクリップ情報データベースの構成表示機能と、当該構成表示に対する上記選択操作に応じた表示画面Ｇ３への一又は複数のクリップ情報ＣＬの呼び出し機能は、上述の内部管理データベースを参照して行われる。このとき、選択された一又は複数のクリップ情報の呼び出し動作は、図５に示すクリップ情報呼出手段Ｐ２ｂにより実行される。なお、運行状況レポートプログラムＰ２においては、上記クリップ分類表示手段Ｐ２ａと上記クリップ情報呼出手段Ｐ２ｂは、本願発明の移動情報表示装置（移動情報表示プログラム）の移動情報取込手段に相当する。
【００７６】
図３３に示すように、表示画面Ｇ３には、上記映像リストｇ３１の左側に上記映像再生表示領域ｇ１２と同様に構成された映像再生表示領域ｇ３２が形成され、その下側には、上述の再生操作入力部ｇ１２ｓと同様に構成された再生操作入力部ｇ３２ｓが形成される。また、再生操作入力部ｇ３２ｓの下方には判定情報を表示する判定情報表示部ｇ３３が形成される。さらに、上記映像リストｇ３１の下側には、上記の走行変化表示領域ｇ１４と同様に構成された走行変化表示領域ｇ３４、コメント入力部ｇ３５（図３５参照）、及び、ＧＰＳデータ表示部ｇ３６（図３５参照）がタブ構成により交代的に表示可能とされる。そして、以上の動作は、図５に示すクリップ情報表示手段Ｐ２ｃによって実行される。なお、図３３及び図３４に示すように、上記映像リストｇ３１において選択表示されたクリップ情報ファイルの移動情報である映像データ及び移動データが映像再生表示領域ｇ３２及び走行変化表示領域ｇ３４に表示される。
【００７７】
ここで、図３５に示すように、コンピュータの操作者がコメントタブを選択するとコメント入力部ｇ３５が表示される。このコメント入力部ｇ３５では、再生中のクリップ情報ＣＬに関する各種のコメントを保存できるように構成されている。この動作は、図５に示すクリップ情報編集手段Ｐ２ｄにより実行される。
【００７８】
また、コンピュータの操作者が設定メニューボタンｇ３７を操作すると、図３４に示すように各種の設定ボタンが表示されるので、対応する設定操作を行うことができる。また、コンピュータの操作者が個別出力ボタンｇ３８を操作すると、図３６に示す保存ダイアログｇ３９が表示され、選択された一又は複数のクリップ情報ＣＬに関する個別データを出力することができる。この動作は、図５に示す個別データ出力手段Ｐ２ｅによって実行される。個別データ出力手段Ｐ２ｅは、操作者により選択された一又は複数のクリップ情報ＣＬに対して適宜のデータを作成して出力する手段であり、これにより、上記のように選択された一又は複数のクリップ情報ＣＬについて適宜の形式で管理データを作成することが可能になる。この場合に、上記クリップ情報編集手段Ｐ２ｄにより元の一又は複数のクリップ情報ＣＬの少なくとも一部に操作者により入力された追加情報を付加してから、上記個別データを出力することができる。
【００７９】
なお、図３７に示すように、上記表示画面Ｇ３に地図表示部ｇ４０をさらに設けてもよい。この地図表示部ｇ４０は、図示例では、タブ構造により上記映像リストｇ３１と交代的に表示可能に構成されている。この地図表示部ｇ４０をコンピュータの操作者が選択操作すると、図３８の左側に示す地図表示領域ｇ４１が表示される。この地図表示領域ｇ４１は、上記映像再生表示領域ｇ３２の再生時点に対応する地点データを含む範囲の（図示例では地点データに対応する位置を中心とする）地図を表示する。地図表示領域ｇ４１には、上記地点データに対応する、現在の走行位置を示す標準マーカーｇ４２が示される。また、地図表示領域ｇ４１においては、標準マーカーｇ４２の表示と非表示、走行軌跡の表示と非表示、走行方向に合わせた地図の回転動作の要否をチェックボックスの選択により切り替えることができるように構成される。さらに、コンピュータの操作者が図示の距離レーダーボタンｇ４３を操作すると、上記映像再生表示領域ｇ３２における映像データの再生が一時的に停止され、図３８の右側に示すように、現在の走行位置からの距離が同心円状の距離マーカーｇ４４により表示される。
【００８０】
以上説明した本実施形態の運行状況管理システム、クリップ情報生成プログラムＰ１及び運行状況レポートプログラムＰ２によれば、以下の効果を得ることができる。
【００８１】
まず、クリップ情報生成プログラムＰ１により取得情報ＭＢ（ｉ）からクリップ情報ＣＬ（ｉ，ｊ）を生成し、運行状況レポートプログラムＰ２によりクリップ情報ＣＬ（ｉ，ｊ）を再生表示することができるため、取得情報ＭＢ（ｉ）が長時間にわたるデータとして記録されていても、当該取得情報ＭＢ（ｉ）の要点を迅速かつ容易に把握することができ、短時間に各種の処理その他の管理作業を行うことが可能になる。
【００８２】
また、クリップ情報生成プログラムＰ１において、取得情報ＭＢ（ｉ）を再生表示する際に走行態様の時間変化を図形表示するとともに再生時点に対応する位置を指示することにより、取得情報の再生時点の時間的前後の走行状況を推定できるため、走行状況の把握やクリップ情報の設定を容易かつ迅速に行うことができる。この点は、運行状況レポートプログラムにおいて、クリップ情報ＣＬ（ｉ，ｊ）を再生表示する場合でも同様であり、上記走行態様の時間変化の図形表示や再生時点に対応する指示位置の表示により、走行状況の把握を容易かつ迅速に行うことが可能になる。
【００８３】
さらに、クリップ情報生成プログラムＰ１において、映像データの再生時点に対応してクリップ期間を設定できるので、映像データを見ながら操作するだけでクリップ期間を正確かつ迅速に設定することができる。また、この点はチェック情報ＣＨを登録する場合でも同様であり、映像データの再生時点に対応する地点データをチェック情報ＣＨとして登録できるので、映像データを見ながら操作するだけで地点データを正確かつ迅速に登録することができる。
【００８４】
また、運行状況レポートプログラムＰ２では、複数のクリップ情報ＣＬ（ｉ，ｊ）を取得情報識別コードＩｃｉとクリップ情報識別コードＩｃｊで分類表示し、この分類表示態様Ｍの各表示分類（セルｍｓ、行タイトルｍｉ又は列タイトルｍｊ）を選択操作することで、当該表示分類に属する一又は複数のクリップ情報ＣＬを呼び出すことができる。したがって、操作者が必要とする適宜のクリップ情報群を取り込んで表示することが可能になるため、運行状況の各種のレポート処理作業や管理作業を迅速かつ容易に行うことが可能になる。
【００８５】
尚、本発明の移動情報処理装置（移動情報処理プログラム）、移動情報表示装置（移動情報表示プログラム）、移動情報表示方法及び移動情報管理システムは、上述の図示例にのみ限定されるものではなく、本発明の要旨を逸脱しない範囲内において種々変更を加え得ることは勿論である。例えば、上記クリップ情報生成プログラムＰ１は、取得情報ＭＢを処理してクリップ情報ＣＬを生成する移動情報処理プログラム、取得情報ＭＢに関するチェック情報ＣＨを登録する移動情報処理プログラム、或いは、取得情報ＭＢを表示する本発明の移動情報表示プログラムに相当するものであり、これらのように本願発明に相当する構成を有するものであれば、当該クリップ情報生成プログラムＰ１に種々の改変を施すことができる。また、上記運行状況レポートプログラムＰ２は、クリップ情報ＣＬにコメント等を付加する処理を行う移動情報処理プログラム、或いは、クリップ情報ＣＬを表示する移動情報表示プログラムに相当するものであり、これらのように本願発明に相当する構成を有するものであれば、当該運行状況レポートプログラムＰ２に種々の改変を施すことができる。
【符号の説明】
【００８６】
１…ドライブレコーダ、２…取得情報処理装置、３…運行状況表示装置、Ｐ１…クリップ情報生成プログラム、Ｐ２…運行状況レポートプログラム、Ｇ１、Ｇ２、Ｇ３…表示画面、ｇ１１…入力ファイル指定領域、ｇ１１ａ…入力フォルダ指定部、ｇ１１ｂ…入力ファイル表示部、ｇ１１ｃ…出力フォルダ指定部、ｇ１１ｄ…入力フォルダ指定ダイアログ、ｇ１１ｅ…出力フォルダ指定ダイアログ、ｇ１２…映像再生表示領域、ｇ１２ｓ…再生操作入力部、ｇ１２ｔ…連続再生ボタン、ｇ１２ａ…音量調整操作部、ｇ１２ｑ…再生速度設定部、ｇ１３…再生ファイル情報表示領域、ｇ１３ａ…ファイル情報表示部、ｇ１３ｂ…再生情報表示部、ｇ１４…走行変化表示領域、ｇ１４ｐ…速度値表示部、ｇ１４ｎ…再生位置指示線、ｇ１４ｓ…開始位置指示線、ｇ１４ｆ…終了位置指示線、ｇ１４ｃｈ…チェック情報マーカー、ｇ１５…移動変化表示設定部、ｇ１５ａ…時間表示設定部、ｇ１５ｂ…速度表示設定部、ｇ１５ｃ…表示態様設定部、ｇ１６…クリップ情報設定領域、ｇ１６ａ…インジケータ表示設定部、ｇ１６ｂ…クリップ期間幅設定部、ｇ１６ｃ…クリップ期間設定表示部、ｇ１６ｄ…クリップ走行距離表示部、ｇ１６ｅ…プレビューボタン、ｇ１６ｆ、ｇ１６ｇ…クリップ情報出力ボタン、ｇ１６ｈ…クリップ出力ダイアログ、ｇ１６ｉ…出力フォルダ指定ダイアログ、ｇ１７…チェック情報操作入力部、ｇ１７ａ…チェック情報登録アイコン、ｇ１７ｂ…チェック情報展開リスト、ｇ１７ｃ…チェック情報登録ボタン、ｇ１７ｄ…チェック情報検索ボタン、ｇ１７ｅ…クリップ一括登録ボタン、ｇ１７ｆ…チェック情報出力ボタン、ｇ１７ｇ…チェック情報入力ボタン、ｇ１８…ＯＰＴＩＯＮボタン、ｇ１８ａ…設定リスト、ｇ２１…操作メニュー、ｇ２１ａ…ファイル操作入力部、ｇ２１ｂ…設定操作入力部、ｇ２１ｃ…環境設定ダイアログ、ｇ２１ｄ…ルート指定部、ｇ２１ｅ…内部管理ＤＢ指定部、ｇ２１ｆ…インポートメニュー、ｇ２１ｇ…再構成メニュー、ｇ２１ｈ…入力ダイアログ、ｇ２１ｉ…入力フォルダ指定部、ｇ２１ｊ…入力フォルダ表示部、ｇ２１ｋ…ＤＢフォルダ指定部、ｇ２１ｌ…ＤＢフォルダ表示部、ｇ２１ｍ…ファイル表示部、ｇ２１ｎ…インポートボタン、ｇ２１ｏ…確認表示ダイアログ、ｇ２１ｐ…再構成ボタン、ｇ２２…操作設定表示部、ｇ２２ａ…走行月表示部、ｇ２２ｂ…入力フォルダ表示部、ｇ２２ｃ…走行月操作部、ｇ２２ｄ…データ検索ボタン、ｇ２３…データベース表示領域、ｇ２３ａ…一覧出力ボタン、ｇ３１…映像リスト、ｇ３２…映像再生表示領域、ｇ３２ｓ…再生操作入力部、ｓ３３…判定情報表示部、ｇ３４…走行変化表示領域、ｇ３５…コメント入力部、ｇ３６…ＧＰＳデータ表示部、ｇ３７…設定メニューボタン、ｇ３８…個別出力ボタン、ｇ３９…保存ダイアログ、ｇ４０…地図表示部、ｇ４１…地図表示領域、ｇ４２…標準マーカー、ｇ４３…距離レーダーボタン、ｇ４４…距離マーカー
【図１】
2012115145.tif 000003
【図２】
2012115145.tif 000004
【図３】
2012115145.tif 000005
【図４】
2012115145.tif 000006
【図５】
2012115145.tif 000007
【図６】
2012115145.tif 000008
【図７】
2012115145.tif 000009
【図８】
2012115145.tif 000010
【図９】
2012115145.tif 000011
【図１０】
2012115145.tif 000012
【図１１】
2012115145.tif 000013
【図１２】
2012115145.tif 000014
【図１３】
2012115145.tif 000015
【図１４】
2012115145.tif 000016
【図１５】
2012115145.tif 000017
【図１６】
2012115145.tif 000018
【図１７】
2012115145.tif 000019
【図１８】
2012115145.tif 000020
【図１９】
2012115145.tif 000021
【図２０】
2012115145.tif 000022
【図２１】
2012115145.tif 000023
【図２２】
2012115145.tif 000024
【図２３】
2012115145.tif 000025
【図２４】
2012115145.tif 000026
【図２５】
2012115145.tif 000027
【図２６】
2012115145.tif 000028
【図２７】
2012115145.tif 000029
【図２８】
2012115145.tif 000030
【図２９】
2012115145.tif 000031
【図３０】
2012115145.tif 000032
【図３１】
2012115145.tif 000033
【図３２】
2012115145.tif 000034
【図３３】
2012115145.tif 000035
【図３４】
2012115145.tif 000036
【図３５】
2012115145.tif 000037
【図３６】
2012115145.tif 000038
【図３７】
2012115145.tif 000039
【図３８】
2012115145.tif 000040
【国際調査報告】
2012115145.tif 000041
2012115145.tif 000042
2012115145.tif 000043
2012115145.tif 000044